(57)【要約】【課題】  収納フレーム間の連結状態を容易に安定化させることができる収納ラック及び分別収集容器を提供すること。【解決手段】  収納ラック２０は、支持台６０と、該支持台６０の上端部に連結される複数の収納フレーム３０とを備えている。これらの収納フレーム３０に連結手段を設けるとともに、該連結手段を介してこれら複数の収納フレーム３０同士を上下に積み重ね可能に構成する。そして、これら複数の収納フレーム３０を上下に積み重ねる際には、上下の収納フレーム３０間を水平面に対して斜め方向に傾斜させながら連結するとともに、各収納フレーム３０の底部載置部３１が前方ほど高い位置に配置されるように傾斜させる。また、分別収集容器１０は、前記収納ラック２０と、該収納ラック２０の各収納フレーム３０内に収納される収納容器７０とを備えている。【選択図】      図１
2005261866.tif 000002
【特許請求の範囲】
【請求項１】
前方に開口する開口部を通して収納物を収納する収納フレームを備えた収納ラックであって、
前記収納フレームは、連結手段を備えるとともに、該連結手段を介して複数の収納フレーム同士が上下に積み重ね可能に構成され、
複数の収納フレームを上下に積み重ねる際には、上下の収納フレーム間が水平面に対して斜め方向に傾斜しながら連結されるとともに、各収納フレームの底部が前方ほど高い位置に配置されるように傾斜していることを特徴とする収納ラック。
【請求項２】
前記連結手段は、係合突出部と、該係合突出部が挿入係止される係合挿入部とを備え、
複数の収納フレームを上下に積み重ねる際には、一方の収納フレームの係合突出部が水平面に対して斜め方向に傾斜しながら他方の収納フレームの係合挿入部内にスライドして連結されるように構成されることを特徴とする請求項１に記載の収納ラック。
【請求項３】
前記係合突出部は収納フレームの上端部に設けられるとともに前方に突出するように構成され、
前記係合挿入部は収納フレームの下端部に設けられるとともに前記係合突出部の下方に配設されていることを特徴とする請求項２に記載の収納ラック。
【請求項４】
前記連結手段は収納フレームの前端部に設けられていることを特徴とする請求項１から請求項３のいずれか一項に記載の収納ラック。
【請求項５】
前記収納フレームは、線材により平板状に形成される底部載置部と、底部載置部の前端部に設けられる枠状をなす開口部と、底部載置部の後端部に設けられるストッパとを備えていることを特徴とする請求項１から請求項４のいずれか一項に記載の収納ラック。
【請求項６】
前記収納フレームは、前記開口部の上端部と前記ストッパの上端部との間を前後方向に架設する補強フレームを備えていることを特徴とする請求項５に記載の収納ラック。
【請求項７】
前記収納フレームを支持するための支持台を備え、前記収納フレームと支持台との間には収納フレームを支持台の上方に積み重ねて連結するための下部連結手段が設けられ、
前記収納フレームを支持台の上方に積み重ねる際には、当該収納フレームが水平面に対して斜め方向に傾斜しながら連結されるとともに、同収納フレームの底部が前方ほど高い位置に配置されるように傾斜していることを特徴とする請求項１から請求項６のいずれか一項に記載の収納ラック。
【請求項８】
前記支持台には前記収納フレームの係合挿入部に挿入係止される下部係合突出部としての係合凸部が設けられ、前記下部連結手段は前記係合挿入部及び下部係合突出部を備え、
前記収納フレームを支持台の上方に積み重ねる際には、該支持台の下部係合突出部が水平面に対して斜め方向に傾斜しながら前記収納フレームの係合挿入部内にスライドして連結されるように構成されていることを特徴とする請求項７に記載の収納ラック。
【請求項９】
前記支持台の後端部には前記収納フレームの下端部と当接して該収納フレームを支持する支持補助手段が設けられていることを特徴とする請求項７又は請求項８に記載の収納ラック。
【請求項１０】
複数の収納フレーム同士を連結固定するための連結固定手段を備え、
該連結固定手段は、複数の収納フレームを上下に積み重ねる際に、前記連結手段を構成する線材同士を挟み込んで係止するように構成されていることを特徴とする請求項１から請求項９のいずれか一項に記載の収納ラック。
【請求項１１】
前記連結固定手段は、前記係合突出部を構成する線材を嵌入させる第１嵌合溝と、前記係合挿入部を構成する線材を嵌入させる第２嵌合溝とを備えた連結固定部材により構成されていることを特徴とする請求項１０に記載の収納ラック。
【請求項１２】
前方に開口する開口部が設けられた収納フレームを複数備えた収納ラックと、前記開口部を通して収納フレーム内に収納される複数の収納容器とを備えた分別収集容器であって、
各収納フレームは複数の収納フレーム同士を上下に積み重ねるための連結手段を備え、
前記収納ラックは、前記連結手段を介して複数の収納フレーム同士を上下に積み重ねることにより構成されるとともに、上下の収納フレーム間を水平面に対して斜め方向に傾斜させながら連結するように構成され、さらに各収納フレームの底部を前方ほど高い位置に配置させるように連結されていることを特徴とする分別収集容器。
【請求項１３】
前記収納容器は、収納フレーム内での収納状態において、その前面が鉛直方向に延びる鉛直面に沿って配置されるとともに、上下に隣り合う収納容器の前面が上下に面一となるように配置されることを特徴とする請求項１２に記載の分別収集容器。
【発明の詳細な説明】
【技術分野】
【０００１】
本発明は、収納物を収納するための収納ラック、及び収納物を分別しながら収集するための分別収集容器に関するものである。
【背景技術】
【０００２】
一般に、収納ラックとしては、収納物を収納する複数の収納フレームを上下に積み重ねて一体に形成されたものが知られている。このような収納ラックは、各収納フレーム内に収納容器を収納することにより、資源ゴミ等の収納物を分別しながら収集する分別収集容器として使用される場合がある。この場合、収納ラックは、分別すべき資源ゴミの種類に応じた個数の収納フレームを上下に積み重ねることにより構成されるとともに、それら収納フレームのそれぞれに収納容器が収納されるようになっている。例えば、特許文献１には、連結状態の収納フレーム同士を上下に分割することが可能な連結構造を有する収納ラックが提案されている。
【特許文献１】特開平１０−３２７９４４号公報
【発明の開示】
【発明が解決しようとする課題】
【０００３】
しかしながら、前記特許文献１に記載の収納ラックは、複数の収納フレーム同士を互いに水平面に対して垂直方向に積み重ねて連結させる構造であるため、収納フレーム間の連結状態が安定しにくかった。即ち、この収納ラックでは、上下に積み重ねられた収納フレーム間の連結部分が水平方向に接していることから、上方の収納フレームが前後左右にぐらつき易かった。さらには、収納物の挿脱方向が収納フレーム同士の連結方向と大きく乖離しているため、収納物を挿脱する際にも連結部分がぐらつき易かった。
【０００４】
本発明は、このような従来の技術に存在する問題点に着目してなされたものである。その目的とするところは、収納フレーム間の連結状態を容易に安定化させることができる収納ラック及び分別収集容器を提供することにある。
【課題を解決するための手段】
【０００５】
上記の目的を達成するために、請求項１に記載の発明は、前方に開口する開口部を通して収納物を収納する収納フレームを備えた収納ラックであって、前記収納フレームは、連結手段を備えるとともに、該連結手段を介して複数の収納フレーム同士が上下に積み重ね可能に構成され、複数の収納フレームを上下に積み重ねる際には、上下の収納フレーム間が水平面に対して斜め方向に傾斜しながら連結されるとともに、各収納フレームの底部が前方ほど高い位置に配置されるように傾斜していることを要旨とする。
【０００６】
この収納ラックでは、上下の収納フレーム間が水平面に対して斜め方向に傾斜しながら連結することで、上方に配置されるべき収納フレームにかかる重力が、該収納フレームの後ろ斜め下方に向かって作用する。このため、上方に配置されるべき収納フレームは上下方向にぐらつきにくいうえ、前後方向にもぐらつきにくい構造をとる。従って、上下の収納フレーム間の連結状態が容易に安定化される。さらに、収納物の挿脱方向が収納フレーム同士の連結方向とほぼ一致しているので、収納物を挿脱する際にも収納フレーム同士の連結部分がぐらつき難くなり、これらの連結部分の安定性が向上する。
【０００７】
請求項２に記載の発明は、請求項１に記載の発明において、前記連結手段は、係合突出部と、該係合突出部が挿入係止される係合挿入部とを備え、複数の収納フレームを上下に積み重ねる際には、一方の収納フレームの係合突出部が水平面に対して斜め方向に傾斜しながら他方の収納フレームの係合挿入部内にスライドして連結されるように構成されることを要旨とする。
【０００８】
この構成によれば、各収納フレームには、それらの自重により収納フレーム間の連結部分の傾斜に沿う方向に滑落する力が作用する。この力が作用する方向が収納フレーム間の連結される方向とほぼ一致しているため、上下の収納フレーム間の連結状態はより一層安定する。また、複数の収納フレーム同士を上下に積み重ねる際には、上下の収納フレーム間の連結部分の傾斜に沿う方向に上方に配置されるべき収納フレームをスライドさせるだけで連結されるので、収納フレーム同士の連結作業が容易である。
【０００９】
請求項３に記載の発明は、請求項２に記載の発明において、前記係合突出部は収納フレームの上端部に設けられるとともに前方に突出するように構成され、前記係合挿入部は収納フレームの下端部に設けられるとともに前記係合突出部の下方に配設されていることを要旨とする。
【００１０】
この構成によれば、複数の収納フレーム同士を上下に積み重ねる際には、下方に位置する収納フレームの前方から、上方に位置させるべき収納フレームをスライドさせて連結させるようになっている。このため、収納フレーム同士を容易に上下に積み重ねて連結することができる。
【００１１】
請求項４に記載の発明は、請求項１から請求項３のいずれか一項に記載の発明において、前記連結手段は収納フレームの前端部に設けられていることを要旨とする。
この構成によれば、各収納フレームは、その前端部で位置決めがなされる。各収納フレームの前端部は、後端部よりも高い位置に配置されているため、上方に位置すべき収納フレームが吊り下げられたような状態で積み上げられるようになっており、その収納フレームのがたつきが容易に抑えられる。
【００１２】
請求項５に記載の発明は、請求項１から請求項４のいずれか一項に記載の発明において、前記収納フレームは、線材により平板状に形成される底部載置部と、底部載置部の前端部に設けられる枠状をなす開口部と、底部載置部の後端部に設けられるストッパとを備えていることを要旨とする。
【００１３】
この構成によれば、収納フレームを構成する部品点数が容易に低減され、収納ラックの軽量化を図るのが極めて容易となる。
請求項６に記載の発明は、請求項５に記載の発明において、前記収納フレームは、前記開口部の上端部と前記ストッパの上端部との間を前後方向に架設する補強フレームを備えていることを要旨とする。
【００１４】
この構成によれば、複数の収納フレームを上下に積み重ねて連結する際に、下方に配置される収納フレームと上方に配置されるべき収納フレームとの間の接合面積が増大し、上方に配置されるべき収納フレームがより一層安定した状態で支持される。
【００１５】
請求項７に記載の発明は、請求項１から請求項６のいずれか一項に記載の発明において、前記収納フレームを支持するための支持台を備え、前記収納フレームと支持台との間には収納フレームを支持台の上方に積み重ねて連結するための下部連結手段が設けられ、前記収納フレームを支持台の上方に積み重ねる際には、当該収納フレームが水平面に対して斜め方向に傾斜しながら連結されるとともに、同収納フレームの底部が前方ほど高い位置に配置されるように傾斜していることを要旨とする。
【００１６】
この収納ラックでは、収納フレームと支持台との間が水平面に対して斜め方向に傾斜しながら連結することで、上方に配置される収納フレームにかかる重力が、支持台の後ろ斜め下方に向かって作用する。このため、上方に配置される収納フレームは上下方向にぐらつきにくいうえ、前後方向にもぐらつきにくい構造をとる。従って、収納フレームと支持台との間の連結状態が容易に安定化される。さらに、収納物の挿脱方向が収納フレームと支持台との連結方向とほぼ一致しているので、収納物を挿脱する際にも収納フレームと支持台との連結部分がぐらつき難くなり、これらの連結部分の安定性が向上する。
【００１７】
請求項８に記載の発明は、請求項７に記載の発明において、前記支持台には前記収納フレームの係合挿入部に挿入係止される下部係合突出部としての係合凸部が設けられ、前記下部連結手段は前記係合挿入部及び下部係合突出部を備え、前記収納フレームを支持台の上方に積み重ねる際には、該支持台の下部係合突出部が水平面に対して斜め方向に傾斜しながら前記収納フレームの係合挿入部内にスライドして連結されるように構成されていることを要旨とする。
【００１８】
この構成によれば、収納フレームには、その自重により収納フレームと支持台との間の連結部分の傾斜に沿う方向に滑落する力が作用する。この力が作用する方向が収納フレームと支持台との間の連結される方向とほぼ一致しているため、収納フレームと支持台との間の連結状態はより一層安定する。また、収納フレームと支持台とを上下に積み重ねる際には、収納フレームと支持台との間の連結部分の傾斜に沿う方向に上方に配置される収納フレームをスライドさせるだけで連結されるので、収納フレームと支持台との連結作業が容易である。
【００１９】
請求項９に記載の発明は、請求項７または請求項８に記載の発明において、前記支持台の後端部には前記収納フレームの下端部と当接して該収納フレームを支持する支持補助手段が設けられていることを要旨とする。
【００２０】
この構成によれば、前記収納フレームを前記支持台によって支持した際に、該収納フレームへの負荷が軽減され、収納フレームの製品としての寿命が長くなる。
請求項１０に記載の発明は、請求項１から請求項９のいずれか一項に記載の発明において、複数の収納フレーム同士を連結固定するための連結固定手段を備え、該連結固定手段は、複数の収納フレームを上下に積み重ねる際に、前記連結手段を構成する線材同士を挟み込んで係止するように構成されていることを要旨とする。
【００２１】
この構成によれば、前記収納フレーム同士が連結された状態において、これらの揺れやがたつきが抑制され、安定性が高まる。
請求項１１に記載の発明は、請求項１０に記載の発明において、前記連結固定手段は、前記係合突出部を構成する線材を嵌入させる第１嵌合溝と、前記係合挿入部を構成する線材を嵌入させる第２嵌合溝とを備えた連結固定部材により構成されていることを要旨とする。
【００２２】
この構成によれば、前記係合突出部を構成する線材と第１嵌合溝とを嵌合させ、前記係合挿入部を構成する線材と第２嵌合溝とを嵌合させることで、前記係合突出部と前記係合挿入部とがそれらの連結状態で確実に固定される。
【００２３】
請求項１２に記載の発明は、前方に開口する開口部が設けられた収納フレームを複数備えた収納ラックと、前記開口部を通して収納フレーム内に収納される複数の収納容器とを備えた分別収集容器であって、各収納フレームは複数の収納フレーム同士を上下に積み重ねるための連結手段を備え、前記収納ラックは、前記連結手段を介して複数の収納フレーム同士を上下に積み重ねることにより構成されるとともに、上下の収納フレーム間を水平面に対して斜め方向に傾斜させながら連結するように構成され、さらに各収納フレームの底部を前方ほど高い位置に配置させるように連結されていることを要旨とする。
【００２４】
この分別収集容器の収納ラックでは、上下の収納フレーム間が水平面に対して斜め方向に傾斜しながら連結することで、上方に配置されるべき収納フレームにかかる重力が、該収納フレームの後ろ斜め下方に向かって作用する。このため、上方に配置されるべき収納フレームは上下方向にぐらつきにくいうえ、前後方向にもぐらつきにくい構造をとる。従って、上下の収納フレーム間の連結状態が容易に安定化される。さらに、収納物の挿脱方向が収納フレーム同士の連結方向とほぼ一致しているので、収納物を挿脱する際にも収納フレーム同士の連結部分がぐらつき難くなり、これらの連結部分の安定性が向上する。
【００２５】
請求項１３に記載の発明は、請求項１２に記載の発明において、前記収納容器は、収納フレーム内での収納状態において、その前面が鉛直方向に延びる鉛直面に沿って配置されるとともに、上下に隣り合う収納容器の前面が上下に面一となるように配置されることを要旨とする。
【００２６】
この構成によれば、各収納容器を収納フレーム内に収納したとき、各収納容器の前面が鉛直面に沿って互いに上下に揃うように配置されることから、分別収集容器の外観が良好になる。
【発明の効果】
【００２７】
本発明によれば、収納フレーム間の連結状態を容易に安定化させることができる収納ラック及び分別収集容器を提供することができる。
【発明を実施するための最良の形態】
【００２８】
以下、本発明を具体化した実施形態を、図１〜図５に基づいて説明する。
図１に示すように、分別収集容器１０は、収納ラック２０と、該収納ラック２０に収納される収納容器７０とを備えている。収納ラック２０は、２つの収納フレーム３０と、該収納フレーム３０を支持する１つの支持台６０とを備えている。
【００２９】
図２及び図３（ａ），（ｂ）に示すように、前記収納フレーム３０は、前記収納容器７０を載置するための略平板状をなす底部載置部３１と、底部載置部３１の前端部に立設された四角枠状をなす開口部３３と、底部載置部３１の後端部に立設された四角枠状をなすストッパ３５とからなる収納フレーム本体４０を備えている。さらに、この収納フレーム３０には、前記開口部３３の上端部と前記ストッパ３５の上端部との間を前後方向に架設する補強フレーム３６が着脱自在に取着されるようになっている。前記底部載置部３１、開口部３３及びストッパ３５はいずれもアルミニウム、鉄、ステンレス等の金属からなる線材により一体的に形成されており、前記補強フレーム３６も同金属よりなる線材により形成されている。
【００３０】
底部載置部３１の左右両側部には、前後方向に延びる側部フレーム３１ａが設けられている。両側部フレーム３１ａは、底部載置部３１の前端部から後端部に向かうに連れて互いに僅かに近接するテーパ形状に形成されている。底部載置部３１の前端部には、左右の側部フレーム３１ａの前端部間を横方向に繋ぐ前部フレーム３１ｂが設けられている。底部載置部３１の後端部には、左右の側部フレーム３１ａの後端部間を横方向に繋ぐ後部フレーム３１ｃが設けられている。前部フレーム３１ｂと後部フレーム３１ｃとの間には、前後方向に延びる中央フレーム３１ｄが複数設けられており、前記側部フレーム３１ａ、前部フレーム３１ｂ、後部フレーム３１ｃとともに前記収納容器７０を載置するための載置面を構成している。
【００３１】
これら中央フレーム３１ｄの前部下面には、正面コ字状をなす連結手段としての係合挿入部を構成する第１及び第２下部係合フレーム３２ａ，３２ｂが前後に所定間隔をおいて並設されている。第１下部係合フレーム３２ａは中央フレーム３１ｄの前端部下面に設けられ、第２下部係合フレーム３２ｂは前記第１下部係合フレーム３２ａよりもやや後方の中央フレーム３１ｄの前部下面に設けられている。これら第１下部係合フレーム３２ａ及び第２下部係合フレーム３２ｂはいずれも、中央フレーム３１ｄの下面から垂下される左右一対の垂下部３２ｃと、それら垂下部３２ｃの下端から横方向に延びる支持部３２ｄとを備えており、該支持部３２ｄと底部載置部３１の下面との間に連結空間を形成している。
【００３２】
収納フレーム本体４０の前端部左右両側には、開口部３３の両側部を構成する左右一対の側部開口フレーム３３ｂが設けられている。各側部開口フレーム３３ｂは、前記側部フレーム３１ａの前端を該側部フレーム３１ａと直交する方向に折り曲げることにより上下方向に延設されている。さらに、これら側部開口フレーム３３ｂは互いに平行に延設されている。
【００３３】
側部開口フレーム３３ｂの上端部には、左右の側部開口フレーム３３ｂ間を横方向に繋ぐ上部開口フレーム３３ｃが設けられている。この上部開口フレーム３３ｃには、左右の側部開口フレーム３３ｂの上端を折り曲げることにより左右方向に延設された左右一対の載置フレーム３３ｄと、両載置フレーム３３ｄの内端部間を繋ぐ連結手段を構成する係合突出部３３ａとを備えている。前記載置フレーム３３ｄは、前記前部フレーム３１ｂの上方において、該前部フレーム３１ｂと平行に延設されている。これら載置フレーム３３ｄの後端部中央には、横円筒状に形成された筒体３４が固設されている。
【００３４】
前記係合突出部３３ａは平面コ字状に形成されている。この係合突出部３３ａの左右両側部には、前後方向に延びる左右一対の側部係合フレーム３３ｅが設けられている。これら側部係合フレーム３３ｅの前端部には、前記前部フレーム３１ｂと平行な左右方向に延びる前部係合フレーム３３ｆが設けられており、側部係合フレーム３３ｅの強度を高めている。これら側部係合フレーム３３ｅは、前記第１及び第２下部係合フレーム３２ａ，３２ｂの長さ未満となる一定の間隔を保持しながら互いに平行に延設されている。また、側部係合フレーム３３ｅの前後方向の長さは、前記第１下部係合フレーム３２ａと前記第２下部係合フレーム３２ｂとの前後方向の間隔よりも長く形成されている。
【００３５】
収納フレーム本体４０の後端部左右両側には、ストッパ３５の両側部を構成する左右一対の側部ストッパフレーム３５ａが設けられている。各側部ストッパフレーム３５ａは、前記側部フレーム３１ａの後端を所定角度で折り曲げることにより後ろ斜め上方に傾斜して延びるように形成されている。さらに、これら側部ストッパフレーム３５ａは互いに平行に延設されている。これら側部ストッパフレーム３５ａの上端部には、左右の側部ストッパフレーム３５ａ間を横方向に繋ぐ上部ストッパフレーム３５ｂが設けられており、側部ストッパフレーム３５ａの強度を高めるとともに前記収納容器７０を底部載置部３１の所定位置に係止するように構成されている。
【００３６】
収納フレーム本体４０の上端部には、前記載置フレーム３３ｄと上部ストッパフレーム３５ｂとの間を前後方向に架設する補強フレーム３６が取着されるように構成されており、図５に示されるように複数の収納フレーム３０を上下に積み重ねる際の収納ラック２０の安定性を高めるようになっている。図２に示すように、この補強フレーム３６は、線材を折り曲げることにより平面Ｕ字状に形成されている。
【００３７】
補強フレーム３６の前端部には、収納フレーム本体４０の外側方に延びる左右一対の係入凸部３６ａが設けられている。これら係入凸部３６ａは、前記線材の両端部により構成される。これら係入凸部３６ａはいずれも、前記載置フレーム３３ｄと平行な左右方向に延設されており、図２の２点鎖線で示されるように、補強フレーム３６中央部の弾性変形を利用して前記筒体３４内に挿入されるようになっている。このとき、補強フレーム３６は、左右の筒体３４を結ぶ線を回転軸として回動されるようになっている。
【００３８】
図２及び図３（ａ），（ｂ）に示すように、４０の上端部に３６を取着したとき、該補強フレーム３６の前部は、前記側部係合フレーム３３ｅ及び側部フレーム３１ａと平行な前後方向に延設されている。このとき、補強フレーム３６の後部は、側面略Ｌ字状に形成されている。この補強フレーム３６の後端部には、前記上部ストッパフレーム３５ｂと平行な左右方向に延びる接合フレーム３６ｂが設けられている。この接合フレーム３６ｂの下面には、左右一対の接合クリップ３６ｃが設けられている。各接合クリップ３６ｃは、下方に開口する側断面Ｃ字状に形成されており、前記上部ストッパフレーム３５ｂを挟着するようになっている。
【００３９】
図１及び図４に示すように、前記支持台６０は、アルミニウム、鉄、ステンレス等の金属からなる線材により形成されている。支持台６０は、四角枠状をなす枠状部６１を備えている。枠状部６１の各コーナ部下面には、該枠状部６１を水平面に対して平行に支持するとともに２０を床面上で移動可能にするためのキャスタ６２が設けられている。枠状部６１の前端部には、前斜め上方に延びる下部係合突出部としての係合凸部６３が設けられている。この係合凸部６３は、前記収納フレーム３０の係合突出部３３ａと同様に平面コ字状に形成されており、前記収納フレーム３０の第１及び第２下部係合フレーム３２ａ，３２ｂ内に挿入係止されるようになっている。下部連結手段は、前記下部係合突出部と前記係合挿入部とにより構成されている。すなわち、下部連結手段は、係合凸部６３と、第１及び第２下部係合フレーム３２ａ，３２ｂとにより構成されている。したがって、この下部連結手段により、前記収納フレーム３０と前記支持台６０とは、前記収納フレーム３０同士の連結と同様に連結されるようになっている。
【００４０】
図４に示すように、前記係合突出部３３ａの両側部と水平面Ｐとのなす角度θは、１５〜３５°であることが好ましく、２０〜２７°であることがより好ましい。前記角度θが、１５°よりも小さい場合には、前記収納フレーム３０に対する前記収納容器７０の出し入れが行い難くなり、３５°よりも大きい場合には、前記収納ラック２０の安定性が低下するおそれがある。
【００４１】
図１及び図４に示すように、前記収納容器７０は、いずれも四角板状をなす後壁７１ａと周壁７１ｂとにより前面が開口する四角箱状に形成された収納容器本体７１と、該収納容器本体７１の前面の開口を覆う蓋体７２とを備えている。収納容器本体７１及び蓋体７２はいずれも合成樹脂により構成されている。
【００４２】
蓋体７２は、収納容器本体７１に対して着脱可能に構成されている。前記蓋体７２は、四角板状をなす前壁７２ａと、該前壁７２ａの上端縁から後方に延びる四角板状の上壁７２ｂと、側面逆三角形状をなす左右一対の側壁７２ｅとより後面が開口するように形成されている。この蓋体７２は、開口されている後端縁に前記収納容器本体７１の前端縁を嵌入させることにより一体化されるようになっている。なお、蓋体７２を側面から見たとき、前記側壁７２ｅの前端縁と後端縁とのなす角度α（図４参照）は、前記角度θとほぼ同じ値になっている。
【００４３】
蓋体７２の前面上部には、正面四角形状をなす挿入口７２ｃが開口されており、該挿入口７２ｃを通して資源ゴミ等が収納容器７０内に挿入されるようになっている。挿入口７２ｃの上端部には、該挿入口７２ｃを開閉可能に閉鎖する開閉扉７２ｄが軸着されている。また、この収納容器７０は、前記後壁７１ａを床面上に載置することにより、挿入口７２ｃの上方から資源ゴミの挿入を行うこともできるようになっている。
【００４４】
次に、前記分別収集容器１０の作用について以下に記載する。
図４に示すように、分別収集容器１０を組み立てる場合には、まず、最下段（１段目）に配置されるべき収納フレーム３０の第１及び第２下部係合フレーム３２ａ，３２ｂ内に、支持台６０の係合凸部６３を、水平面Ｐに対して斜め方向に前記角度θで傾斜しながらスライドさせて挿入係止させる。これにより支持台６０上に前記収納フレーム３０が、水平面Ｐに対して斜め方向に前記角度θで傾斜した状態で連結される。続いて、この収納フレーム３０の上端部に補強フレーム３６を取り付ける。
【００４５】
次に、２段目に配置されるべき収納フレーム３０の第１及び第２下部係合フレーム３２ａ，３２ｂ内に、前記１段目の収納フレーム３０の係合突出部３３ａを、水平面Ｐに対して斜め方向に前記角度θで傾斜しながらスライドさせて挿入係止させる。これにより１段目の収納フレーム３０上に２段目の収納フレーム３０が水平面Ｐに対して斜め方向に前記角度θで傾斜した状態で連結される。その結果、支持台６０上に２つの収納フレーム３０が上下に積み重ねられながら連結した収納ラック２０が完成する。このとき、前記両収納フレーム３０の底部、すなわち底部載置部３１は、前方ほど高い位置に配置される。
【００４６】
またこのとき、前記１段目の収納フレーム３０の上端部に位置する載置フレーム３３ｄは、２段目の収納フレーム３０の下端中央部に当接されている。ちなみに、前記２段目の収納フレーム３０の下端中央部は、前記側部フレーム３１ａが前端部から後端部に向かうに連れて僅かに底部載置部３１の内方に位置するテーパ形状に形成されている。このことから、該側部フレーム３１ａの下面が１段目の収納フレーム３０の上端部に位置する載置フレーム３３ｄの上面と交叉しながら当接されており、上下の収納フレーム３０同士が安定した状態で積み重ねられている。さらにこのとき、前記２段目の収納フレーム３０（底部載置部３１）の下面は１段目の収納フレーム３０（載置フレーム３３ｄ、側部係合フレーム３３ｅ、前部係合フレーム３３ｆ及び補強フレーム３６）の上面と当接されるとともに、前記第２下部係合フレーム３２ｂの両端部後面が前記載置フレーム３３ｄの前面と当接されている。
【００４７】
最後に、図２、図４及び図５に示すように、前記収納ラック２０の各収納フレーム３０内に、開口部３３を通して前記収納容器７０を挿入することにより、分別収集容器１０が完成する。このとき、各収納容器７０の後端部は各収納フレーム３０の後端部のストッパ３５に係止された状態となっている。さらにこのとき、前記角度αと角度θとの値がほぼ一致しているため、各収納容器７０の前面は鉛直方向に延びる鉛直面に沿って配置されるとともに、上下に隣り合う収納容器７０の前面が上下に面一となって配置される。
【００４８】
さて、この分別収集容器１０は、各種資源ゴミを分別しながら収納容器７０の前面の挿入口７２ｃから収納容器７０内に挿入するようになっている。このとき、収納容器７０は後端側が低くなるように配置されていることから、挿入された資源ゴミは自動的に収納容器７０の下端部から順に積み上げられるので、挿入口７２ｃが塞がれにくくなっている。また、この分別収集容器１０では、前記収納容器７０内が資源ゴミで一杯になったときには、該収納容器７０を収納フレーム３０の前方に引き出して分別収集容器１０から分離させ、該資源ゴミを廃棄する作業が行われる。そして、前記資源ゴミを廃棄した後の収納容器７０は、開口部３３の前方から前記収納フレーム３０内に挿入することにより、その自重により自動的に収納フレーム３０内の所定位置に収納される。また、この分別収集容器１０では、前記２段目の収納フレーム３０の上端部に別の収納フレーム３０を積み重ねることができるとともに、該２段目の収納フレーム３０を取り除いて１段のみで利用することもできる。
【００４９】
以上詳述した実施形態によれば次のような効果が発揮される。
・  実施形態の収納ラック２０は、前記１段目の収納フレーム３０の第１及び第２下部係合フレーム３２ａ，３２ｂ内に、前記支持台６０の係合凸部６３を、水平面Ｐに対して斜め方向に傾斜しながらスライドさせて挿入係止させて連結する構造である。加えて、前記収納ラック２０は、前記２段目の収納フレーム３０の第１及び第２下部係合フレーム３２ａ，３２ｂ内に、前記１段目の収納フレーム３０の係合突出部３３ａを、水平面Ｐに対して斜め方向に傾斜しながらスライドさせて挿入係止させて連結する構造である。このため、前記１段目及び２段目の収納フレーム３０には、それらの自重により前記１段目の収納フレーム３０と支持台６０との間、及び前記１段目と２段目の収納フレーム３０との間の各連結部分の傾斜に沿う方向にそれぞれ滑落する力が作用する。この力が作用する方向が前記各連結部分の連結方向とほぼ一致しているので、前記１段目及び２段目の収納フレーム３０は上下方向にぐらつきにくいうえ、前後方向にもぐらつきにくくなり、前記１段目の収納フレーム３０と支持台６０との間、及び前記１段目と２段目の収納フレーム３０との間の連結状態が容易に安定化される。
【００５０】
また、この収納ラック２０では、収納物の挿脱方向が前記各連結部分の連結方向とほぼ一致しているので、収納物を挿脱する際にも前記連結部分がぐらつき難くなり、前記各連結部分の安定性が向上する。さらに、前記１段目の収納フレーム３０と支持台６０との間、及び前記１段目と２段目の収納フレーム３０との間は、これらの各連結部分の傾斜に沿う方向にそれぞれ前記１段目及び２段目の収納フレーム３０をスライドさせるだけで連結されるので、それらの連結作業が容易である。
【００５１】
なお、一般に、フレーム構造からなる骨格を備えた収納ラックは、上下の収納フレーム間の連結が上下のフレーム同士の当接によって行われるため、これらの連結部分が不安定になり易く、ぐらつきやすかった。特に、収納フレームを構成している線材が丸棒状である場合には、なおさらこのような問題が大きくなる。この問題を解決するために、上下の収納フレーム間の連結を強固に行って前記連結部分を安定化させるようにすれば、これらの連結及び解除の作業性が低下してしまうという新たな問題が発生することとなる。これに対し、本実施形態の収納ラック２０は、上下の収納フレーム３０間の連結及び解除の作業性を低下させることなくこれらの連結状態を安定化させることができるという優れた効果を発揮するものである。
【００５２】
・  前記収納ラック２０は、前記支持台６０、前記１段目及び２段目の収納フレーム３０の連結手段がこれらの前端部に設けられているため、前記１段目及び２段目の収納フレーム３０はこれらの前端部で位置決めがなされる。さらに、前記収納ラック２０は、前記１段目及び２段目の収納フレーム３０の前端部が後端部よりも高い位置に配置されているため、前記１段目及び２段目の収納フレーム３０が吊り下げられたような状態で積み上げられるようになっている。このため、前記１段目及び２段目の収納フレーム３０のがたつきが容易に抑えられる。
【００５３】
・  前記収納ラック２０は、収納フレーム３０が、線材により平板状に形成される底部載置部３１と、底部載置部３１の前端部に設けられる枠状をなす開口部３３と、底部載置部３１の後端部に設けられるストッパ３５とを備えた構成である。このため、収納フレーム３０を構成する部品点数が容易に低減することができ、収納ラック２０の軽量化を図るのが極めて容易となる。
【００５４】
・  前記収納ラック２０は、収納フレーム３０が、開口部３３の上端部とストッパ３５の上端部との間を前後方向に架設する補強フレーム３６を備えた構成である。このため、１段目の収納フレーム３０の上に２段目の収納フレーム３０を積み重ねて連結する際に、１段目の収納フレーム３０と２段目の収納フレーム３０との間の接合面積が増大し、２段目の収納フレーム３０をより一層安定した状態で支持することができる。
【００５５】
・  前記分別収集容器１０は、前記角度αと角度θとの値がほぼ一致しているため、前記収納容器７０が、収納フレーム３０内での収納状態において、該収納容器７０の前面が鉛直方向に延びる鉛直面に沿って配置されるとともに、上下に隣り合う収納容器７０同士の前面が上下に面一となるように配置される。このため、各収納容器７０を収納フレーム３０内に収納したとき、各収納容器７０の前面が鉛直面に沿って互いに上下に揃うように配置されることから、分別収集容器１０の外観を良好にすることができる。
【００５６】
なお、前記実施形態は、次のように変更して具体化することも可能である。
・  前記収納ラック２０に、前記収納容器７０を収納する代わりに、収納物としてのワイン、シャンプー等を収納してもよい。
【００５７】
・  前記収納フレーム３０に前記補強フレーム３６を一体に形成してもよい。また、前記補強フレーム３６を省略してもよい。
・  前記収納容器７０を透明または半透明の材料で形成して、外部から収納容器７０の内部が見えるように構成してもよい。
【００５８】
・  前記１段目の収納フレーム３０の下端部に前記支持台６０を固設してもよい。
・  図６に示すように、前記支持台６０の枠状部６１の後端部に、前記収納フレーム３０を連結した際に、該収納フレーム３０の支持を補助する支持補助手段としての支持補助部８０を設けてもよい。すなわち、前記枠状部６１を構成する左右方向に延びる枠状後端フレーム６１ａの中央部には、上方に延びる一対の側部支持フレーム８０ａが設けられており、それらの先端部は、それぞれ直角に前方へ屈曲されている。一対の側部支持フレーム８０ａの先端同士は、左右方向に延びる支持フレーム８０ｂによって繋がれている。支持補助部８０は、一対の側部支持フレーム８０ａと支持フレーム８０ｂとにより構成されている。そして、図７に示すように、前記支持台６０上に前記収納フレーム３０を連結した際に、上部ストッパフレーム３５ｂの下端面に支持フレーム８０ｂの上端面が当接するようになっている。したがって、前記収納フレーム３０を前記支持台６０によって支持した際に、該収納フレーム３０への負荷が軽減されるため、収納フレーム３０の製品としての寿命を長くすることができる。
【００５９】
・  前記支持補助部８０は、別部材として支持台６０の枠状部６１の後端部に取着するようにしてもよい。
・  図７及び図８に示すように、前記収納ラック２０に、前記収納フレーム３０と前記支持台６０との連結状態で固定する連結固定手段としての連結固定部材９０を備えるようにしてもよい。図９及び図１０（ａ）、（ｂ）に示すように、連結固定部材９０は、金属または合成樹脂よりなり、略四角柱形状の本体部９１、平板状の板状部９２及び環状の環状部９３とを備えている。本体部９１には、該本体部９１を補強する補強リブ９１ａが設けられている。環状部９３と板状部９２との間には側面Ｕ字状をなす第１嵌合溝９６が形成されており、本体部９１と板状部９２との間には側面Ｕ字状をなす第２嵌合溝９４が形成されており、本体部９１と環状部９３との間には側面Ｕ字状をなす第３嵌合溝９５が形成されている。
【００６０】
そして、図７及び図８に示すように、前記収納フレーム３０と前記支持台６０との連結状態でこれらを連結固定部材９０により固定する。このとき、第１嵌合溝９６に支持台６０の係合凸部６３が嵌合され、第２嵌合溝９４に収納フレーム３０の第１下部係合フレーム３２ａが嵌合され、第３嵌合溝９５に収納フレーム３０の前部フレーム３１ｂが嵌合されるようになっている。したがって、前記収納フレーム３０と前記支持台６０とを、それらの連結状態で連結固定部材９０により固定することができ、第１嵌合溝９６、第２嵌合溝９４及び第３嵌合溝９５により収納フレーム３０と支持台６０とが前後方向や上下方向に揺れたり、がたついたりするのを抑制することができる。このため、収納ラック２０の安定性を高めることができる。また、連結固定部材９０は、収納フレーム３０の前端部に配置されており、第１嵌合溝９６を下方から係合凸部６３に引っ掛けて、該第１嵌合溝９６を中心に収納ラック２０の後端部側から上方に回動させることにより、第２嵌合溝９４が第１下部係合フレーム３２ａに、第３嵌合溝９５が前部フレーム３１ｂに容易に嵌合される。このため、連結固定部材９０を収納ラック２０に容易に取着することができる。
【００６１】
・  前記連結固定部材９０の第３嵌合溝９５を省略してもよい。
・  前記連結固定部材９０の第２嵌合溝９４を収納フレーム３０の第１下部係合フレーム３２ａに予め回動可能に取着しておいてもよい。あるいは、前記連結固定部材９０の第１嵌合溝９６を支持台６０の係合凸部６３に予め回動可能に取着しておいてもよい。
【００６２】
・  前記連結固定部材９０を、前記収納フレーム３０同士の連結に用いてもよい。
・  前記支持台６０のキャスタ６２は省略してもよい。
さらに、前記実施形態より把握できる技術的思想について以下に記載する。
【００６３】
・  複数の収納フレームを備えるとともに、下方に位置する収納フレームの上端部には補強フレームが設けられ、該補強フレームの上面が上方に位置する収納フレームの下面に当接するように構成されていることを特徴とする請求項６に記載の収納ラック。
【００６４】
・  前記支持台は収納ラックの下端部を構成することを特徴とする請求項７から請求項９のいずれか一項に記載の収納ラック。
・  前記支持補助手段は前記支持台の後端部から上方に突設された支持補助部により構成されていることを特徴とする請求項９に記載の収納ラック。
【００６５】
・  前記連結固定手段は、前記収納フレームの前端部に設けられていることを特徴とする請求項１０または請求項１１に記載の収納ラック。
・  前記連結固定部材はさらに上方に配置される収納フレームの底部を構成する線材を嵌入させる第３嵌合溝を備えていることを特徴とする請求項１１に記載の収納ラック。
【図面の簡単な説明】
【００６６】
【図１】実施形態の分別収集容器の分解斜視図。
【図２】実施形態の収納フレームの分解斜視図。
【図３】（ａ）は実施形態の収納フレームの正面図、（ｂ）は（ａ）の側面図。
【図４】実施形態の分別収集容器の分解側面図。
【図５】実施形態の分別収集容器を示す側面図。
【図６】変更例の支持台の斜視図。
【図７】変更例の支持台及び連結固定部材の使用状態を示す断面図。
【図８】図７の要部拡大図。
【図９】変更例の連結固定部材の斜視図。
【図１０】（ａ）は図９の側面図、（ｂ）は（ａ）の断面図。
【符号の説明】
【００６７】
１０…分別収集容器、２０…収納ラック、３０…収納フレーム、３１…収納フレームの底部としての底部載置部、３２ａ…係合挿入部としての第１下部係合フレーム、３２ｂ…係合挿入部としての第２下部係合フレーム、３３…収納フレームの開口部、３３ａ…係合突出部、３５…ストッパ、３６…補強フレーム、４０…収納フレーム本体、６０…支持台、６３…下部係合突出部としての係合凸部、７０…収納容器、７１…収納容器を構成する収納容器本体、７２…収納容器を構成する蓋体、Ｐ…水平面、８０…支持補助手段としての支持補助部、９０…連結固定手段としての連結固定部材、９４…第２嵌合溝、９５…第３嵌合溝、９６…第１嵌合溝。
【図１】
2005261866.tif 000003
【図２】
2005261866.tif 000004
【図３】
2005261866.tif 000005
【図４】
2005261866.tif 000006
【図５】
2005261866.tif 000007
【図６】
2005261866.tif 000008
【図７】
2005261866.tif 000009
【図８】
2005261866.tif 000010
【図９】
2005261866.tif 000011
【図１０】
2005261866.tif 000012